(57)【要約】      （修正有）【課題】演奏データがカラオケ装置に記憶されていない楽曲のリクエストを簡易に行うことが可能なカラオケシステムを提供する。【解決手段】カラオケシステムにおいて、カラオケ装置は、楽曲名に検索ワードを含む楽曲を抽出する抽出部、利用者が選択した楽曲の演奏予約を行う予約処理部、抽出された楽曲について利用者がいずれの楽曲も選択しなかった場合、所定の楽曲データベースを参照し、楽曲名に入力された検索ワードを含む楽曲を取得する取得部及び取得された前記楽曲のうち候補楽曲について、当該候補楽曲を示す楽曲情報をサーバ装置に送信する送信処理部備える制御部を有する。サーバ装置は、楽曲情報に基づいて候補回数を楽曲毎に記憶させる記憶処理部、ある楽曲の候補回数が所定の条件を満たした場合、当該ある楽曲をリクエスト楽曲として決定する決定部を有する。【選択図】図３
2020166140.tif 000002
【特許請求の範囲】
【請求項１】
カラオケ装置とサーバ装置とが通信可能に接続されたカラオケシステムであって、
前記カラオケ装置は、
利用者が入力した検索ワードと、当該カラオケ装置でカラオケ演奏可能な楽曲を示す楽曲リストとに基づいて、楽曲名に当該検索ワードを含む楽曲を抽出する抽出部と、
抽出された前記楽曲のうち、前記利用者が選択した楽曲の演奏予約を行う予約処理部と、
抽出された前記楽曲について前記利用者がいずれの楽曲も選択しなかった場合、所定の楽曲データベースを参照し、楽曲名に入力された前記検索ワードを含む楽曲を取得する取得部と、
取得された前記楽曲のうち、抽出された前記楽曲以外の楽曲である候補楽曲について、当該候補楽曲を示す楽曲情報を前記サーバ装置に送信する送信処理部と、
を有し、
前記サーバ装置は、
前記カラオケ装置から送信された楽曲情報に基づいて、前記候補楽曲とされた回数である候補回数を楽曲毎に記憶させる記憶処理部と、
ある楽曲の候補回数が所定の条件を満たした場合、当該ある楽曲をリクエスト楽曲として決定する決定部と、
を有するカラオケシステム。
【請求項２】
前記サーバ装置は、決定した前記リクエスト楽曲を外部システムに報知する報知処理部を有することを特徴とする請求項１記載のカラオケシステム。
【請求項３】
前記サーバ装置は、各楽曲の演奏データを記憶するデータ記憶部と、
決定した前記リクエスト楽曲に対応する演奏データが前記データ記憶部に記憶されている場合、カラオケ装置に対し、当該リクエスト楽曲の演奏データを配信する配信部と、
を有することを特徴とする請求項１または２に記載のカラオケシステム。
【発明の詳細な説明】
【技術分野】
【０００１】
本発明はカラオケシステムに関する。
【背景技術】
【０００２】
カラオケ装置は、演奏データに基づいて様々な楽曲のカラオケ演奏を行うことができる。
【０００３】
一方で、ＣＤや音楽配信サービスで聴くことが可能な全ての楽曲について演奏データが準備されているわけではない。よって、カラオケ装置の利用者がある楽曲のカラオケ歌唱を行いたいと考えた場合であっても、当該ある楽曲の演奏データがカラオケ装置に記憶または配信されていないこともある。
【０００４】
そこで、演奏データを供給するカラオケ事業者は、利用者の要望に応えるべく、新規に配信する楽曲のリクエストを受け付けている。たとえば、特許文献１には、アーティストが出版した楽曲アルバムを手掛かりに歌いたい楽曲を探して演奏予約する演奏予約装置において、利用者入力により特定されたあるアルバム収録楽曲が楽曲データベースに存在しない楽曲であった場合、当該楽曲をカラオケ収録希望楽曲として外部システムに伝達する技術が開示されている。
【先行技術文献】
【特許文献】
【０００５】
【特許文献１】特開２００２−３５１４７９号公報
【発明の概要】
【発明が解決しようとする課題】
【０００６】
しかしながら特許文献１の技術では、楽曲のリクエストを行うに当たって、利用者が楽曲アルバムに基づいた検索を行う必要があるため煩雑である。
【０００７】
本発明の目的は、演奏データがカラオケ装置に記憶されていない楽曲のリクエストを簡易に行うことが可能なカラオケシステムを提供することにある。
【課題を解決するための手段】
【０００８】
上記目的を達成するための一の発明は、カラオケ装置とサーバ装置とが通信可能に接続されたカラオケシステムであって、前記カラオケ装置は、利用者が入力した検索ワードと、当該カラオケ装置でカラオケ演奏可能な楽曲を示す楽曲リストとに基づいて、楽曲名に当該検索ワードを含む楽曲を抽出する抽出部と、抽出された前記楽曲のうち、前記利用者が選択した楽曲の演奏予約を行う予約処理部と、抽出された前記楽曲について前記利用者がいずれの楽曲も選択しなかった場合、所定の楽曲データベースを参照し、楽曲名に入力された前記検索ワードを含む楽曲を取得する取得部と、取得された前記楽曲のうち、抽出された前記楽曲以外の楽曲である候補楽曲について、当該候補楽曲を示す楽曲情報を前記サーバ装置に送信する送信処理部と、を有し、前記サーバ装置は、前記カラオケ装置から送信された楽曲情報に基づいて、前記候補楽曲とされた回数である候補回数を楽曲毎に記憶させる記憶処理部と、ある楽曲の候補回数が所定の条件を満たした場合、当該ある楽曲をリクエスト楽曲として決定する決定部と、を有するカラオケシステムである。
本発明の他の特徴については、後述する明細書及び図面の記載により明らかにする。
【発明の効果】
【０００９】
本発明によれば、演奏データがカラオケ装置に記憶されていない楽曲のリクエストを簡易に行うことができる。
【図面の簡単な説明】
【００１０】
【図１】実施形態に係るカラオケシステムの概略を示す図である。
【図２】実施形態に係るカラオケ装置を示す図である。
【図３】実施形態に係るリモコン装置を示す図である。
【図４】実施形態に係るサーバ装置を示す図である。
【図５】実施形態に係るカラオケシステムの処理を示すフローチャートである。
【図６】変形例１に係るサーバ装置を示す図である。
【図７】変形例２に係るサーバ装置を示す図である。
【発明を実施するための形態】
【００１１】
＜実施形態＞
図１〜図５を参照して、実施形態に係るカラオケシステムについて説明する。
【００１２】
＝＝カラオケシステム＝＝
図１に示すように、本実施形態に係るカラオケシステム１は、複数のカラオケ装置Ｋ１〜Ｋｎ及びサーバ装置Ｓを備える。各カラオケ装置とサーバ装置Ｓとは、ネットワークＮを介して通信可能となっている。ネットワークＮは、たとえば公衆電話回線網やインターネット回線等の伝送路である。
【００１３】
カラオケ装置は、カラオケ演奏及び利用者がカラオケ歌唱を行うための装置である。サーバ装置Ｓは、各種情報の管理や各カラオケ装置から送信される情報の処理等を行うコンピュータである。なお、カラオケシステム１は、少なくとも一つのカラオケ装置を含んでいればよい。
【００１４】
本実施形態において、ネットワークＮには、楽曲データベースＭＤ、及び外部システムＥＳが接続されている。
【００１５】
楽曲データベースＭＤは、楽曲に関する様々なデータを記憶している。楽曲に関する様々なデータは、たとえば、楽曲名、アーティスト名、リリースされた年月日である。楽曲データベースＭＤは、カラオケ装置に既に配信されている楽曲、或いは配信可能な楽曲（すなわち、既に演奏データが存在する楽曲）に関するデータだけでなく、ＣＤや音楽配信サービスで提供されているが、未だカラオケ装置に配信されていない楽曲（すなわち、演奏データが存在しない楽曲）に関するデータも記憶している。楽曲データベースＭＤは、「所定のデータベース」の一例である。
【００１６】
外部システムＥＳは、サーバ装置Ｓを管理するカラオケ事業者の有するシステムである。外部システムＥＳは、各カラオケ装置に対し、直接またはサーバ装置Ｓを介して演奏データを提供する。また、本実施形態に係る外部システムＥＳは、演奏データの制作を発注する等、演奏データの提供に向けた準備を行う。
【００１７】
＝＝カラオケ装置＝＝
図２に示すように、カラオケ装置Ｋ１は、カラオケ本体１０、スピーカ２０、表示装置３０、マイク４０、及びリモコン装置Ｒ１を備える。なお、ここでは、カラオケ装置Ｋ１を例に説明するが、カラオケ装置Ｋ２〜カラオケ装置Ｋｎも同様の構成である。
【００１８】
カラオケ本体１０は、選曲された楽曲の演奏制御、歌詞や背景映像等の表示制御、マイク４０を通じて入力された音声信号の処理といった、カラオケ演奏やカラオケ歌唱に関する各種の制御を行う。
【００１９】
また、カラオケ本体１０は、カラオケ装置Ｋ１によりカラオケ演奏を行うための複数の楽曲データを記憶する。
【００２０】
楽曲データは、個々のカラオケ楽曲を特定するための楽曲識別情報が付与されている。楽曲識別情報は、楽曲を識別するための楽曲ＩＤ等、各楽曲に固有の情報である。楽曲データは、演奏データ、リファレンスデータ等を含む。演奏データは、カラオケ演奏音の元となるＭＩＤＩ形式のデータである。リファレンスデータは、利用者によるカラオケ歌唱を採点する際の基準として用いられるデータである。なお、カラオケ装置によって記憶している楽曲データが異なっていてもよい（すなわち、カラオケ演奏可能な楽曲が異なっていてもよい）。
【００２１】
また、カラオケ本体１０は、カラオケ装置Ｋ１の装置識別情報を記憶する。装置識別情報は、カラオケ装置を識別するための装置ＩＤ等、各カラオケ装置に固有の情報である。
【００２２】
スピーカ２０は、カラオケ本体１０からの放音信号に基づいて放音するための構成である。表示装置３０は、カラオケ本体１０からの信号に基づいて映像や画像を画面に表示するための構成である。マイク４０は、利用者の歌唱音声をアナログの音声信号に変換してカラオケ本体１０に入力するための構成である。リモコン装置Ｒ１は、カラオケ本体１０に対する各種操作をおこなうための装置である。
【００２３】
図３に示すように、本実施形態に係るリモコン装置Ｒ１は、記憶手段１００、通信手段２００、入力手段３００、表示手段４００、及び制御手段５００を備える。各構成はインターフェース（図示なし）を介してバスＢに接続されている。
【００２４】
［記憶手段］
記憶手段１００は、各種のデータを記憶する大容量の記憶装置であり、たとえばハードディスクドライブなどである。記憶手段１００は、楽曲リストを記憶する。楽曲リストは、カラオケ装置Ｋ１でカラオケ演奏可能な楽曲（すなわち、演奏データが記憶されている楽曲）を示すものである。
【００２５】
［通信手段・入力手段・表示手段］
通信手段２００は、サーバ装置Ｓやリモコン装置Ｒ１との通信を行うためのインターフェースを提供する。入力手段３００は、利用者が各種の指示入力を行うための構成である。表示手段４００は、各種情報を表示するための構成である。なお、表示手段４００をタッチパネル形式とすることにより、入力手段３００としての機能を追加することも可能である。
【００２６】
［制御手段］
制御手段５００は、カラオケ装置Ｋ１における各種の制御を行う。制御手段５００は、ＣＰＵおよびメモリ（いずれも図示無し）を備える。ＣＰＵは、メモリに記憶されたプログラムを実行することにより各種の機能を実現する。
【００２７】
本実施形態において、ＣＰＵがメモリに記憶されるプログラムを実行することにより、制御手段５００は、抽出部５００ａ、予約処理部５００ｂ、取得部５００ｃ、及び送信処理部５００ｄとして機能する。
【００２８】
（抽出部）
抽出部５００ａは、利用者が入力した検索ワードと、カラオケ装置Ｋ１でカラオケ演奏可能な楽曲を示す楽曲リストとに基づいて、楽曲名に当該検索ワードを含む楽曲を抽出する。
【００２９】
検索ワードは、利用者がカラオケ歌唱を行う楽曲を検索する際に入力する単語である。利用者は入力手段３００を介して検索ワードの入力を行う。
【００３０】
具体例として、利用者Ａが検索ワード「スター」を入力したとする。この場合、抽出部５００ａは、記憶手段１００に記憶されている楽曲リストの中から楽曲名に「スター」の単語を含む楽曲を抽出する。この例において、抽出部５００ａは、楽曲リストに含まれていた「ジギー・スターダスト」、「スター・スター」、「セブンス・スター」、「ハイウェイ・スター」の４曲を抽出したとする。抽出部５００ａは、抽出した楽曲の楽曲名等を表示手段４００に表示させるとともに、抽出した楽曲の楽曲ＩＤ等を記憶手段１００に一時的に記憶させる。なお、この例では抽出条件として「前方一致」を用いているが、抽出条件は適宜設定することができる。
【００３１】
（予約処理部）
予約処理部５００ｂは、抽出された楽曲のうち、利用者が選択した楽曲の演奏予約を行う。
【００３２】
利用者は、入力手段３００を介し、表示手段４００に表示された楽曲の中からカラオケ歌唱を希望する楽曲を選択する。予約処理部５００ｂは、利用者が選択した楽曲の楽曲ＩＤをカラオケ本体１０に送信し、予約待ち行列に登録することで演奏予約を行う。カラオケ装置Ｋ１は、予約待ち行列に登録されている順に楽曲の演奏データを読み出し、カラオケ演奏を行う。
【００３３】
たとえば、上述の４曲（「ジギー・スターダスト」、「スター・スター」、「セブンス・スター」、「ハイウェイ・スター」）の中から、利用者Ａが「ジギー・スターダスト」を選択したとする。この場合、予約処理部５００ｂは、「ジギー・スターダスト」の楽曲ＩＤを予約待ち行列に登録する。一方、予約処理部５００ｂは、記憶手段１００に記憶されている抽出した楽曲の楽曲ＩＤ等を削除する。
【００３４】
（取得部）
取得部５００ｃは、抽出された楽曲について利用者がいずれの楽曲も選択しなかった場合、所定の楽曲データベースを参照し、楽曲名に入力された検索ワードを含む楽曲を取得する。
【００３５】
たとえば、利用者Ｂが上記例と同様、検索ワード「スター」を入力したとする。抽出部５００ａは、抽出した楽曲の楽曲名を表示手段４００に表示させる。一方、上述の４曲（「ジギー・スターダスト」、「スター・スター」、「セブンス・スター」、「ハイウェイ・スター」）が表示されているにも関わらず、利用者Ｂがいずれの楽曲も選択しなかったとする（たとえば表示手段４００に表示された「検索の中止」のアイコンを選択したとする）。この場合、取得部５００ｃは、ネットワークＮを介して楽曲データベースＭＤを参照し、楽曲名に入力された検索ワード「スター」を含む楽曲を取得する。
【００３６】
ここでは、楽曲データベースＭＤに楽曲名に「スター」を含む楽曲として「ジギー・スターダスト」、「スター・スター」、「スターシップ・トゥルーパー」、「スターズ・エンド」、「スターレス」、「スターレス・アンド・バイブル・ブラック」、「セブンス・スター」、「ハイウェイ・スター」の８曲が記憶されているとする。この場合、取得部５００ｃは、これら８曲を取得する。
【００３７】
（送信処理部）
送信処理部５００ｄは、取得された楽曲のうち、抽出された楽曲以外の楽曲である候補楽曲について、当該候補楽曲を示す楽曲情報をサーバ装置Ｓに送信する。その後、予約処理部５００ｂは、記憶手段１００に記憶されている抽出した楽曲の楽曲ＩＤを削除する。
【００３８】
候補楽曲は、利用者がカラオケ歌唱を希望している可能性があり、且つカラオケ装置にはその演奏データが記憶されていない楽曲である。取得された楽曲の中には、抽出部５００ａで抽出されたにも関わらず、利用者が選択しなかった楽曲が含まれている。一方、選択しなかった楽曲は利用者がカラオケ歌唱を希望する楽曲ではない。よって、そのような楽曲を除いたものを候補楽曲とする。楽曲情報は、候補楽曲を特定するための楽曲名等、候補楽曲を特定するための情報である。
【００３９】
たとえば、利用者Ｂは、抽出された楽曲名に検索ワード「スター」を含む４曲（「ジギー・スターダスト」、「スター・スター」、「セブンス・スター」、「ハイウェイ・スター」）のいずれも選択しなかったとする。また、その結果、楽曲名に上記例で示した検索ワード「スター」を含む８曲が取得されたとする。この場合、送信処理部５００ｄは、取得された８曲のうち、抽出された４曲を除いた楽曲（「スターシップ・トゥルーパー」、「スターズ・エンド」、「スターレス」、「スターレス・アンド・バイブル・ブラック」）を候補楽曲とし、各楽曲の楽曲名を装置ＩＤと紐付けてサーバ装置Ｓに送信する。
【００４０】
＝＝サーバ装置＝＝
図４に示すように、サーバ装置Ｓは、記憶手段５０、通信手段５１、及び制御手段５２を備える。各構成はインターフェース（図示なし）を介してバスＢに接続されている。
【００４１】
記憶手段５０は、各種のデータを記憶する大容量の記憶装置である。通信手段５１は、各カラオケ装置との通信を行うためのインターフェースを提供する。
【００４２】
制御手段５２は、サーバ装置Ｓにおける各種の制御を行う。図４に示すように、本実施形態に係る制御手段５２は、記憶処理部５２ａ及び決定部５２ｂとして機能する。
【００４３】
［記憶処理部］
記憶処理部５２ａは、カラオケ装置から送信された楽曲情報に基づいて、候補楽曲とされた回数である候補回数を楽曲毎に記憶させる。
【００４４】
候補回数は記憶手段５０に記憶されている。またたとえば楽曲名に検索ワード「スター」を含む８曲について、ある時点における候補回数が「ジギー・スターダスト」（３０回）、「スター・スター」（４０回）、「スターシップ・トゥルーパー」（１５回）、「スターズ・エンド」（９８回）、「スターレス」（３５回）、「スターレス・アンド・バイブル・ブラック」（７０回）、「セブンス・スター」（６６回）、「ハイウェイ・スター」（５５回）であったとする。なお、楽曲によって楽曲名に複数の検索ワードを含んでいたり、カラオケ装置によってカラオケ演奏可能な楽曲が決まっているため、楽曲名にある検索ワードを含む楽曲であっても候補回数は楽曲毎に異なることが一般的である。
【００４５】
ここで、上述のようにカラオケ装置Ｋ１（リモコン装置Ｒ１）から４曲の候補楽曲（「スターシップ・トゥルーパー」、「スターズ・エンド」、「スターレス」、「スターレス・アンド・バイブル・ブラック」）が送信されたとする。
【００４６】
この場合、記憶処理部５２ａは、記憶手段５０に記憶されている候補回数を更新する。その結果、候補回数は、「ジギー・スターダスト」（３０回）、「スター・スター」（４０回）、「スターシップ・トゥルーパー」（１６回）、「スターズ・エンド」（９９回）、「スターレス」（３６回）、「スターレス・アンド・バイブル・ブラック」（７１回）、「セブンス・スター」（６６回）、「ハイウェイ・スター」（５５回）となる。
【００４７】
［決定部］
決定部５２ｂは、ある楽曲の候補回数が所定の条件を満たした場合、当該ある楽曲をリクエスト楽曲として決定する。
【００４８】
所定の条件は、候補楽曲をリクエスト楽曲として決定するための条件である。所定の条件は予め決定されている。リクエスト楽曲は、演奏データの制作がなされていない楽曲、或いはカラオケ装置に演奏データが配信されていない楽曲であって、利用者がカラオケ歌唱を希望している可能性の高い楽曲である。
【００４９】
ここで、たとえば、カラオケ装置Ｋ２を利用する利用者Ｃが検索ワード「スター」を入力した結果、いずれの楽曲も抽出されなかったとする。
【００５０】
この場合、利用者Ｃは楽曲を選択できない。よって、カラオケ装置Ｋ２は、取得した楽曲全てを候補楽曲とし（すなわち、「ジギー・スターダスト」、「スター・スター」、「スターシップ・トゥルーパー」、「スターズ・エンド」、「スターレス」、「スターレス・アンド・バイブル・ブラック」、「セブンス・スター」、「ハイウェイ・スター」の８曲を候補楽曲とし）、当該候補楽曲の楽曲名をサーバ装置Ｓに送信する。
【００５１】
記憶処理部５２ａは、記憶手段５０に記憶されている候補回数を更新する。その結果、候補回数は、「ジギー・スターダスト」（３１回）、「スター・スター」（４１回）、「スターシップ・トゥルーパー」（１７回）、「スターズ・エンド」（１００回）、「スターレス」（３７回）、「スターレス・アンド・バイブル・ブラック」（７２回）、「セブンス・スター」（６７回）、「ハイウェイ・スター」（５６回）となる。
【００５２】
決定部５２ｂは、各楽曲の候補回数が所定の条件（ここでは１００回以上）を満たしているかどうかを判断する。上記例によれば、楽曲「スターズ・エンド」が所定の条件を満たしている。よって、決定部５２ｂは、楽曲「スターズ・エンド」をリクエスト楽曲として決定する。
【００５３】
＝＝カラオケシステムにおける処理について＝＝
次に、図５を参照して本実施形態に係るカラオケシステム１における処理について述べる。図５は、カラオケシステム１における処理を示すフローチャートである。ここでは、カラオケ装置Ｋ１とサーバ装置Ｓを例に説明する。また、カラオケシステム１は、ネットワークＮを介して楽曲データベースＭＤと通信可能となっている。
【００５４】
カラオケ装置Ｋ１の抽出部５００ａは、利用者が入力した検索ワードと、カラオケ装置Ｋ１でカラオケ演奏可能な楽曲を示す楽曲リストとに基づいて、楽曲名に当該検索ワードを含む楽曲を抽出する（楽曲名に検索ワードを含む楽曲を抽出。ステップ１０）。
【００５５】
抽出部５００ａは、抽出した楽曲の楽曲名を表示手段４００に表示させるとともに、抽出した楽曲について楽曲ＩＤを記憶手段１００に一時的に記憶させる（抽出した楽曲の表示及び記憶。ステップ１１）。利用者は、表示手段４００に表示された楽曲名を参照し、カラオケ歌唱を行いたい楽曲を選択することができる。
【００５６】
抽出された楽曲について利用者がいずれの楽曲も選択しなかった場合（ステップ１２でＮの場合）、取得部５００ｃは、楽曲データベースＭＤを参照し、楽曲名に入力された検索ワードを含む楽曲を取得する（楽曲名に検索ワードを含む楽曲を取得。ステップ１３）。
【００５７】
送信処理部５００ｄは、ステップ１３で取得された楽曲のうち、ステップ１０で抽出された楽曲以外の楽曲である候補楽曲について、当該候補楽曲を示す楽曲情報をサーバ装置Ｓに送信する（候補楽曲の楽曲情報を送信。ステップ１４）。
【００５８】
抽出された楽曲について利用者がいずれかの楽曲を選択した場合（ステップ１２でＹの場合）または候補楽曲の楽曲情報を送信した後、予約処理部５００ｂは、ステップ１１で一時的に記憶させた抽出した楽曲の楽曲ＩＤを削除する（抽出した楽曲の記憶を削除。ステップ１５）。
【００５９】
サーバ装置Ｓの記憶処理部５２ａは、ステップ１４でカラオケ装置Ｋ１から送信された楽曲情報に基づいて、楽曲毎に候補回数を記憶手段５０に記憶させる（候補回数の記憶。ステップ１６）。
【００６０】
ある楽曲の候補回数が所定の条件を満たした場合（ステップ１７でＹの場合）、決定部５２ｂは、当該ある楽曲をリクエスト楽曲として決定する（リクエスト楽曲を決定。ステップ１８）。
【００６１】
以上から明らかなように、本実施形態に係るカラオケシステム１は、カラオケ装置とサーバ装置Ｓとが通信可能に接続されている。カラオケ装置Ｋ１のリモコン装置Ｒ１は、利用者が入力した検索ワードと、カラオケ装置Ｋ１でカラオケ演奏可能な楽曲を示す楽曲リストとに基づいて、楽曲名に当該検索ワードを含む楽曲を抽出する抽出部５００ａと、抽出された楽曲のうち、利用者が選択した楽曲の演奏予約を行う予約処理部５００ｂと、抽出された楽曲について利用者がいずれの楽曲も選択しなかった場合、楽曲データベースＭＤを参照し、楽曲名に入力された検索ワードを含む楽曲を取得する取得部５００ｃと、取得された楽曲のうち、抽出された楽曲以外の楽曲である候補楽曲について、当該候補楽曲を示す楽曲情報をサーバ装置Ｓに送信する送信処理部５００ｄと、を有する。サーバ装置Ｓは、リモコン装置Ｒ１から送信された楽曲情報に基づいて、候補楽曲とされた回数である候補回数を楽曲毎に記憶させる記憶処理部５２ａと、ある楽曲の候補回数が所定の条件を満たした場合、当該ある楽曲をリクエスト楽曲として決定する決定部５２ｂと、と有する。
【００６２】
このようなカラオケシステム１によれば、利用者により入力された検索ワードに基づいて、カラオケ装置に演奏データが記憶されていない楽曲を候補楽曲としてサーバ装置Ｓに送信できる。また、サーバ装置Ｓは、カラオケ装置から受信する候補楽曲の候補回数に応じて、リクエスト楽曲を決定できる。よって、利用者は、カラオケ歌唱を行う際に通常行う検索ワードの入力操作を行うだけで、楽曲のリクエストを行うことができる。すなわち、本実施形態に係るカラオケシステム１によれば、演奏データがカラオケ装置に記憶されていない楽曲のリクエストを簡易に行うことができる。
【００６３】
＜変形例１＞
決定されたリクエスト楽曲については、速やかにカラオケ装置に配信されることが望ましい。そこで、本変形例に係るサーバ装置Ｓの制御手段５２は、記憶処理部５２ａ、決定部５２ｂ、及び報知処理部５２ｃとして機能する（図６参照）。
【００６４】
報知処理部５２ｃは、決定したリクエスト楽曲を外部システムＥＳに報知する。リクエスト楽曲の報知を受けた外部システムＥＳは、当該リクエスト楽曲の演奏データの提供に向けた準備を行う。そして、演奏データが制作された後、外部システムＥＳは、楽曲ＩＤを付与し、サーバ装置Ｓまたはカラオケ装置に対して楽曲データとして配信する。
【００６５】
このように、本変形例に係るカラオケシステム１によれば、外部システムＥＳに対し、リクエスト楽曲の演奏データの提供に向けた準備を実行させることができる。
【００６６】
＜変形例２＞
決定されたリクエスト楽曲について、サーバ装置Ｓが既に演奏データを有している場合もありうる。このような場合、サーバ装置Ｓがリクエスト楽曲に対応する演奏データを配信することが可能である。
【００６７】
本変形例に係るサーバ装置Ｓの記憶手段５０の記憶領域の一部は、データ記憶部５０ａとして提供される。また、本変形例に係るサーバ装置Ｓの制御手段５２は、記憶処理部５２ａ、決定部５２ｂ、及び配信部５２ｄとして機能する（図７参照）。
【００６８】
データ記憶部５０ａは、各楽曲の演奏データを記憶する。配信部５２ｄは、決定したリクエスト楽曲に対応する演奏データがデータ記憶部５０ａに記憶されている場合、決定したリクエスト楽曲が未配信であるカラオケ装置に対し、当該リクエスト楽曲の演奏データを配信する。
【００６９】
たとえば、上記実施形態で述べたように、楽曲「スターズ・エンド」がリクエスト楽曲として決定されたとする。
【００７０】
この場合、配信部５２ｄは、楽曲「スターズ・エンド」がデータ記憶部５０ａに記憶されているかどうかを確認する。記憶されている場合、配信部５２ｄは、楽曲「スターズ・エンド」の演奏データを読み出し、楽曲「スターズ・エンド」が未配信であるカラオケ装置に対して配信する。
【００７１】
なお、サーバ装置Ｓは、候補回数を記憶する際に候補楽曲の楽曲情報を送信したカラオケ装置の装置識別情報を楽曲と紐付けて記憶し、楽曲情報を送信したカラオケ装置に対し当該リクエスト楽曲の演奏データを配信してもよい。たとえば、少なくともカラオケ装置Ｋ１及びカラオケ装置Ｋ２から送信された候補楽曲の楽曲情報に基づいて楽曲「スターズ・エンド」がリクエスト楽曲として決定され、楽曲「スターズ・エンド」がデータ記憶部５０ａに記憶されている場合、配信部５２ｄは、楽曲「スターズ・エンド」の演奏データを読み出し、少なくともカラオケ装置Ｋ１及びカラオケ装置Ｋ２に対して配信する。
【００７２】
このように、本変形例に係るカラオケシステム１によれば、サーバ装置Ｓがリクエスト楽曲の演奏データを予め有している場合、速やかに演奏データを配信することができる。よって、利用者は、カラオケ歌唱を行いたい楽曲を選択できる可能性が高くなる。
【００７３】
＜その他＞
上記実施形態で説明した構成は一例である。たとえば、リモコン装置Ｒ１における制御手段５００の機能をカラオケ本体１０側が備えていてもよい。或いは、カラオケ装置やサーバ装置Ｓが楽曲データベースＭＤと同等のデータベースを有していてもよい。また、サーバ装置Ｓと外部システムＥＳが共通のコンピュータとして設けられていてもよい。
【００７４】
変形例１の処理と変形例２の処理を併用してもよい。たとえば、配信部５２ｄは、決定したリクエスト楽曲に対応する演奏データがデータ記憶部５０ａに記憶されているかどうかを確認する。記憶されている場合、配信部５２ｄは、楽曲情報を送信したカラオケ装置に対し、当該リクエスト楽曲の演奏データを配信する。一方、記憶されていない場合、報知処理部５２ｃは、決定したリクエスト楽曲を外部システムＥＳに報知する。
【００７５】
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００７６】
１  カラオケシステム
５２ａ  記憶処理部
５２ｂ  決定部
５００ａ  抽出部
５００ｂ  予約処理部
５００ｃ  取得部
５００ｄ  送信処理部
ＥＳ  外部システム
ＭＤ  楽曲データベース
Ｋ１〜Ｋｎ  カラオケ装置
Ｓ  サーバ装置
【図１】
2020166140.tif 000003
【図２】
2020166140.tif 000004
【図３】
2020166140.tif 000005
【図４】
2020166140.tif 000006
【図５】
2020166140.tif 000007
【図６】
2020166140.tif 000008
【図７】
2020166140.tif 000009